(57)【特許請求の範囲】
【請求項１】
下糸ボビンの上面が糸切り装置の可動刃の糸捕捉部より上方に位置し、内釜の板バネの上縁から針板の孔へ延びる下糸が糸切り時に可動刃の後退により糸捕捉部に捕捉されて下糸ボビンの上面で緊張するときに引き込まれる位置にあり、底が前記下糸ボビン上面より下方に位置する溝を内釜に形成したミシンの水平釜。
【発明の詳細な説明】
【０００１】
【産業上の利用分野】
この発明は、糸切り装置を備えたミシンの水平釜に関するものである。
【０００２】
【従来の技術】
糸切り装置を備えたミシンの水平釜として、従来、図９、図１０に示すもの等が知られている。
【０００３】
図９に示すものは、上糸Ｔ１及び下糸Ｔ２の切断に際し、可動刃９が内釜１０の上方に移動し、その後矢印▲１▼方向に復帰して上糸Ｔ１及び下糸Ｔ２を捕捉し、刃先９ａが固定刃１１と出合うときに上糸Ｔ１及び下糸Ｔ２を切断する動作に連動するリンク１２と、そのリンク１２の作動によって支軸１３を中心に揺動するボビン押え１４を備えている。この水平釜においては、糸切りに連動してリンク１２が作動し、ボビン押え１４がボビンＢ側に回動してその鍔上を押さえると、ボビンＢは空転しなくなる。
【０００４】
図１０に示すもの（実願平５−３６１６５号）は、一端１５ａが内釜上のルーパー１６の下降位置に突出するようバネ１７によって付勢されると共に、他端１５ｂが内釜１８内のボビンＢに臨む空転防止体１５を設けている。この水平釜においては、ルーパー１６の下降時に上糸及び下糸を水平釜の内釜１８上に押さえて規制し、動メス及び固定メスによって切断する際に、空転防止体１５の一端１５ａがルーパー１６に押され、他端１５ｂが内釜１８内に移動してボビンＢに当接し、ボビンＢは必要以上には回転しなくなる。
【０００５】
【発明が解決しようとする課題】
上記の図９に示すものは、ボビンＢの空転を防止するボビン押え１４及びその作動に必要なリンク１２等の専用部品が必要であり、製造コスト高となっている。しかも、それらの寸法精度のバラツキを補償するために、ボビン押え１４の先端に弾性を持たせる必要がある。これらのことは、図１０に示すものについても、同様である。
【０００６】
この発明は、格別の部品を用いることなく、ミシンの水平釜中の下糸ボビンが糸切り時における動メスによる下糸引出し動作終了後に、慣性で空転しないようにすることを目的としている。
【０００７】
【課題を解決するための手段】
上記目的を達成するために、この発明のミシンの水平釜は、下糸ボビンの上面が糸切り装置の可動刃の糸捕捉部より上方に位置し、内釜の板バネの上縁から針板の孔へ延びる下糸が糸切り時に可動刃の後退により糸捕捉部に捕捉されて下糸ボビンの上面で緊張するときに引き込まれる位置にあり、底が前記下糸ボビン上面より下方に位置する溝を内釜に形成したものである。
【０００８】
【作用】
上記のように構成されたミシンの水平釜においては、糸切り時に上糸と共に可動刃の糸捕捉部に捕捉された下糸は、ボビン上面より下方に引っ張られて溝の底に入り込み、その下糸がボビン上面を下方に押さえつけ、ボビンの空転が阻止される。
【０００９】
【実施例】
図１ないし図８を参照し、この発明のミシンの水平釜の実施例について説明する。
【００１０】
この水平釜は、可動刃３及び固定刃４よりなる糸切り装置を備えたミシンに装着されるものであり、剣先１ａを有し回転可能に保持される外釜１と、下糸ボビンＢを収容して外釜１に非回転に保持される内釜２とより構成されている。なお、７、８はそれぞれ布を送るための送り歯、縫製時に下糸Ｔ２を下糸ボビンＢより繰り出し、糸切り時に上糸Ｔ１、下糸Ｔ２を保持する糸保持レバーである。
【００１１】
外釜１は、不図示の下軸と同調して水平回転することができる。外釜１が回転すると、その剣先１ａによって、不図示の針に形成された上糸Ｔ１の輪が捕捉される。従って、上糸Ｔ１は内釜２の回りを回り、内釜２の板バネ５の上縁から出ている下糸Ｔ２と絡んで縫い目が形成される。
【００１２】
内釜２は、外釜１のレース面に回転可能に収容され、フレームに取り付けられた不図示の回転規制体によって回転しないように保持されている。
【００１３】
この水平釜においては、内釜２に収容される下糸ボビンＢの上面Ｂａが、可動刃３の糸捕捉部３ａより上方に位置するように配設されることが重要である（図２参照）。
【００１４】
更に、内釜２に、底６ａがボビンＢの上面Ｂａより下方に位置する溝６を形成することが必要である。底６ａの位置を可動刃３の糸捕捉部３ａより下方とする場合は、効果が大である（図２、図８参照）。
【００１５】
その溝６は、内釜２の板バネ５の上縁から不図示の針板の孔へ延びている下糸Ｔ２が糸切り時に可動刃３の糸捕捉部３ａに捕捉されて緊張するときに、丁度引き込まれるような位置に形成される（図７参照）。
【００１６】
溝６の断面形状は、図８に示すいずれでもよいが、（２）に示すように底部付近を広げたり、（３）に示すように傾斜させる場合には、下糸Ｔ２の保持が確実となり、更に効果が大きくなる。
【００１７】
以上のように構成されたミシンの水平釜において、不図示の糸切りスイッチが入れられると、ミシンが回転し、外釜１が回転を開始する。そして、針の上下動によって外釜１内部に生じた上糸Ｔ１のループが、図３に示すように、外釜剣先１ａに引っかけられ、図４ないし図６に示すように、外釜１の外周を回る。その際、図４（２）に示すように、上糸Ｔ１のループに隙間イが生じる。
【００１８】
この動作に並行し、可動刃３が図４（１）に示す矢印ロ方向に前進回動して上糸Ｔ１の隙間イへ進入する。図５に示す位置まで進入した可動刃３は、矢印ハ方向に後退回動し、その糸捕捉部３ａが、図６及び図７に示すように、上糸Ｔ１及び下糸Ｔ２を捕捉して戻ってくる。そして、図７に示すように引っ張られた下糸Ｔ２は、内釜２の溝６中へ入り込む。こうして下糸Ｔ２は板バネ５の上縁から溝６中へ延び、引っ張られるので、ボビンＢはその下糸Ｔ２によって下方に押さえ付けられ、空転が阻止される。
【００１９】
このように、可動刃３の糸捕捉部３ａと溝６の底６ａが下糸ボビンＢの上面Ｂａより下方に存在することにより、糸切り時に可動刃３の糸捕捉部３ａに上糸Ｔ１と共に捕捉された下糸Ｔ２は、ボビン上面Ｂａより下方に引っ張られて溝６の底６ａに入り込んだ状態となり、図１に示すＡ部がボビン上面Ｂａを下方に押してボビンＢの空転が阻止される。
【００２０】
【発明の効果】
この発明は、以上説明したように構成されているので、以下に記載するような効果を奏する。
【００２１】
即ち、格別の部品を付加することなく、水平釜中の下糸ボビンが糸切り時における動メスによる下糸引出し動作終了後に、慣性で空転することを確実に阻止することができる。従って、ボビンに巻かれている下糸がたるんでボビンからはみ出すことはなく、糸切り後の次の縫製時にボビンからのはみ出し糸の縫い込みに起因して下糸ボビンが回らなくなったり、糸切れを起こすこともなくなる。
【図面の簡単な説明】
【図１】本発明の水平釜における内釜の平面図である。
【図２】本発明の水平釜における内釜の側面図である。
【図３】外釜剣先が上糸ループを捕捉したときの本発明の水平釜周辺の平面図である。
【図４】外釜剣先が上糸ループを捕捉して外釜の周囲を回るときの本発明の水平釜周辺の図であり、（１）は平面図、（２）は側面図である。
【図５】可動刃の糸捕捉部が前進回動したときの本発明の水平釜周辺の平面図である。
【図６】可動刃が後退回動してその糸捕捉部が上糸及び下糸を捕捉したときの本発明の水平釜周辺の平面図である。
【図７】可動刃が後退回動を完了したときの本発明の水平釜周辺の平面図である。
【図８】本発明の水平釜における内釜の溝の様々な断面を示す図である。
【図９】従来の水平釜の平面図である。
【図１０】従来の他の水平釜の側断面図である。
【符号の説明】
１    外釜
２    内釜
３    可動刃
３ａ  可動刃の糸捕捉部
４    糸捕捉部
６    溝
６ａ  溝の底
Ｂ    下糸ボビン
Ｂａ  下糸ボビンの上面
【図１】
0003540363.tif 000002
【図２】
0003540363.tif 000003
【図３】
0003540363.tif 000004
【図４】
0003540363.tif 000005
【図５】
0003540363.tif 000006
【図６】
0003540363.tif 000007
【図７】
0003540363.tif 000008
【図８】
0003540363.tif 000009
【図９】
0003540363.tif 000010
【図１０】
0003540363.tif 000011